(57)【要約】  バウンサーが、支持枠１０と、背もたれ２０と、背もたれ２０用であって支持枠１０によって保持された第１の回動取付部１２と、背もたれ２０に固定して接続され背もたれ２０の下方に第１の回動取付部１２から離間して配置されたアーム２２とを有し、アームが第２の回動取付部２２，２３を介して調節具４０に接続され、調節具４０は、支持枠１０に対する背もたれ２０の傾きを様々な角度で設定するために、第２の回動取付部２２，２３とは異なる距離だけ離間して配置された少なくとも２つの凹部５１，５２を有し、それにより支持枠１０によって保持されたバー１４を受容可能であり、バー１４とアーム２２と第１及び第２の回動取付部１２，２２とが軸方向に平行であり且つ支持枠１０が略水平な下敷き上に立てる用である。調節具４０が、側面６１を有する貫通する細長い開口６０を有し、斜め下方に回転されると共に第１の回動取付部に面しており、当調節具の中に凹部５１，５２，５３が配置され、各凹部５１−５３が、バー１４を支持しながら受容する底部６２と、斜め下方且つ第１の回動取付部に向かって開口６０内に開いた口部６３とを有する。
2009542315.tif 000002
【特許請求の範囲】
【請求項１】
支持枠（１０）と、背もたれ（２０）と、該背もたれ（２０）用であって前記支持枠（１０）によって保持された第１の回動取付部（１２）と、前記背もたれ（２０）に固定して接続され該背もたれ（２０）の下方に前記第１の回動取付部（１２）から離間して配置されたアーム（２２）とを有し、該アームが第２の回動取付部（２２，２３）を介して調節具（４０）に接続され、該調節具（４０）は、前記支持枠（１０）に対する前記背もたれ（２０）の傾きを様々な角度で設定するために、前記第２の回動取付部（２２，２３）とは異なる距離だけ離間して配置された少なくとも２つの凹部（５１，５２）を有し、それにより前記支持枠（１０）によって保持されたバー（１４）を受容可能であり、該バー（１４）と前記アーム（２２）と前記第１及び第２の回動取付部（１２，２２）とが軸方向に平行であり且つ前記支持枠（１０）が略水平な下敷き上に立てる用であるバウンサーにおいて、前記調節具（４０）が、側面（６１）を有する貫通する細長い開口（６０）を有し、斜め下方に回転されると共に前記第１の回動取付部に面しており、当該調節具の中に凹部（５１，５２，５３）が配置され、該各凹部（５１−５３）が、前記バー（１４）を支持しながら受容する底部（６２）と、斜め下方且つ前記第１の回動取付部に向かって前記開口（６０）内に開いた口部（６３）とを有することを特徴とするバウンサー。
【請求項２】
前記第１の回動取付部に面した前記各凹部の口部の壁が、前記バー（１４）の軸線と前記第２の回動取付部（２２，２３）の軸線とを通る線に対して９０°よりも小さい角度を形成すること、及び、前記凹部の反対側の壁の底部が切り取られていることを特徴とする請求項１に記載のバウンサー。
【請求項３】
前記開口（６０）が、前記調節具（４０）に回動可能に取り付けられると共に、前記第２の回動取付部（２２，２３）に向かって前記開口（６０）を区切る終端位置に向かってスプリングで付勢されたロッキングアーム（７０）によって区切られていること、及び、該ロッキングアームが前記スプリングの付勢の作用に抗して向きを変えることが可能であり、それによって、前記開口（６０）が前記第２の回動取付部（２２，２３）の領域まで延びる別の細長い開口（８０）と連通するようになることを特徴とする請求項１又は２に記載のバウンサー。
【請求項４】
前記ロッキングアーム（７０）が、前記開口（６０）に面したその側面上で、前記シャフト（１４）のシャンク部を前記開口から隣接する前記凹部（６０）内へ案内するように形成されていることを特徴とする請求項３に記載のバウンサー。
【請求項５】
前記ロッキングアーム（７０）が向きを変え且つ前記バーが前記別の開口（８０）内に移動できるように、前記バー（１４）が他の前記凹部（５２，５３）のいずれか１つに配置されるように、前記ロッキングアーム（７０）が、向きを変えるとき、前記開口（６０）の領域内に回転されるよう構成され、それにより隣接する凹部（５１）を閉鎖することを特徴とする請求項３又は４に記載のバウンサー。
【発明の詳細な説明】
【技術分野】
【０００１】
本発明は、添付した請求項１のおいて書きに記載されているような、幼児用のバウンサー又はベビーチェアに関する。
【背景技術】
【０００２】
従って、本発明は、平らな下敷きの上に置くことを目的とする支持枠と、背もたれと、該背もたれ用であって支持枠によって保持された第１の回動取付部と、背もたれに固定して接続され背もたれの下方に第１の回動取付部から離間して配置されたアームとを有し、該アームが第２の回動取付部を介して調節具に接続され、調節具は、支持枠に対する背もたれの傾きを様々な角度で設定するために、第２の回動取付部とは異なる距離だけ離間して配置された少なくとも２つの凹部を有し、それにより支持枠によって保持されたバーを受容可能であり、バーとアームと回動取付部とが軸方向に平行である幼児用のバウンサー（子供用のリクライニングチェア）に関する。異なる凹部をバーと係合させることによって、予め選択された背もたれの多数の傾斜位置、例えば、遊んだり、休憩したり、眠っている幼児用のために行われる種々のことに適した傾斜位置を設定することが可能となる。
【発明の概要】
【発明が解決しようとする課題】
【０００３】
本発明の目的は、簡単で高い安全性を保ったまま上述の傾斜位置間で再調節可能なバウンサーを提供することである。
【０００４】
更に別の目的は、背もたれを持ち上げるときに、支持枠に対する背もたれの設定された傾きを保持するバウンサーを提供することである。
【０００５】
更に別の目的は、支持枠に対して略平行な背もたれを搬送位置に折り畳むことが可能にすると共に、搬送位置において背もたれ及び支持枠を取り外し可能に固定することを可能にする構造を提供することである。
【０００６】
更に別の目的は、搬送位置から使用状態へ変形した後、加重時に、自動的に背もたれの安定した傾斜位置をとるバウンサーを提供することである。
【０００７】
更に別の目的は、作動時に、搬送状態と使用状態との間でバウンサーの変形することを可能にするロック機構を有するバウンサーを提供することである。
【０００８】
更に、本発明の他の目的及び利点は、以下の記載において直接的に又は間接的に規定される。
【０００９】
本発明の目的は、本発明によって完全に又は部分的に達成される。
【図面の簡単な説明】
【００１０】
【図１】バウンサーの概略斜視図を示す。
【図２】傾斜の調節具と比較しながら図１に従ってバウンサーの細部の拡大図を示す。
【図３】バウンサーの傾斜の決定をする使用位置から搬送位置への過渡時に、調節具の種々の回転位置を図２に対応する図で示す。
【図４】バウンサーの傾斜の決定をする使用位置から搬送位置への過渡時に、調節具の種々の回転位置を図２に対応する図で示す。
【図５】バウンサーの傾斜の決定をする使用位置から搬送位置への過渡時に、調節具の種々の回転位置を図２に対応する図で示す。
【図６】調節具の切り欠き側面図を示す。
【図７】支持枠に属する支持板の平面図を示す。
【図８】図７の線ＶＩＩＩ−ＶＩＩＩに沿った図を示す。
【図９】図８の線Ａ−Ａに沿った断面図を示す。
【発明を実施するための形態】
【００１１】
本発明の実施形態は、添付した従属クレームに規定される。
以下、本発明の実施形態は、添付した図面を参照し記載される。
【００１２】
図１は、幼児用のリクライニング支持を形成するように布袋が上に被せられる略Ｕ字型の枠部品２５からなる背もたれ２０を有するバウンサーを示す。（図１では、明確化のために、布袋は十分に被せされていない状態で示される。布袋に関し、幼児を寝かせるべき所に一対のズボンが示されている。）
【００１３】
背もたれの枠部品２５は、真っ直ぐで且つ軸線方向に整列した２つの枠片２４と、枠片２４の間に一体的に取り付けられた略Ｕ字型のヨークとによって補完されている。
【００１４】
枠片２４は、水平の下敷き上に安定して置くことを目的とした支持枠１０に属する支持板１６の真っ直ぐな縁１３に沿って、回動取付部１２内に受容される。略三角形状で略平らなヨークは、支持板と平行であって支持板に取り付けられた自由端６６を有する。自由端６６から少し離れて、ヨークは、背もたれ２０に対して横方向に離間している２つの支持点を形成するように広がっている。この２つの支持点は、ウェブと枝部との間のヨークの角の領域においてヨークの底面に貼り付けられた摩擦材料によって設けられてもよい。支持板１６は、滑り防止として例えばゴムのような摩擦材料の糸が、その周方向の境界に沿って底面に設けられていてもよい。
【００１５】
バー１４がヨークの端部６６間に延び、バー１６は、ヨークの端部部分の各穴内に受容されることが分かるであろう。
【００１６】
調節具４０は、背もたれ枠のＵ字型部分のウェブ部品２２用の回動取付部２３を有する。
【００１７】
図２から６によると、バー１４及びアーム２２が回動取付部１２から略同じ距離だけ離間していることと、調節具４０が、側面６０を有する細長い開口６０を有し、斜め下方に回転されると共に第１の回動取付部１２に面しており、その中に凹部５１，５２，５３が配置されているということが理解されよう。各凹部は、バー１４を支持する底部６２と、斜め下方且つ第１の回動取付部に向かって開口６０内に開いた口部６３とを有する。バー１４とアーム２２と回動取付部１２，２３とは、軸方向に平行である。
【００１８】
細長い開口６０は、その上端部に向かってロッキングアーム７０によって区切られており、ロッキングアーム７０は、回動取付部２３近傍でスピンドル７１周りに回転可能に取り付けられると共に、図示されるように終端位置に向かってスプリング７２によって付勢されている。
【００１９】
背もたれに対し鉛直方向に負荷がかけられたとき、上述した傾斜によって、バー１４は、常に、開口６０から凹部の底部６２内へ鉛直に対して傾いた表面上を滑ることが可能である。図６を参照すると、凹部の口部６３がバー１４の直径よりも大きい幅を有し、背もたれに対し鉛直方向に負荷がかけられたとき、凹部の口部６３がその上部でバー１４を安定して受容すると共に、バー１４が独立して受容される凹部から滑り出てしまわないように切り取られていることが更に分かるであろう。
【００２０】
図６を参照すると、図示した終端位置にあるロッキングアーム７０は、開口６０に面したその側面によって、凹部５１の上方の口部の壁と交差し、バー１４を開口６０から凹部５１の口部内に導入するためのガイド面を形成していることが分かるであろう。
【００２１】
付勢スプリング７３を用いて、ロッキングアーム７０は、ストッパ７４に向かって付勢されている。ロッキングアーム７０は、付勢スプリング７３の作用に抗して手動で回転させることができ、そうすることで、回動取付部２３の領域まで延びる調節具４０の別の細長い開口８０と開口６０を連通させる。
【００２２】
更に、調節具４０は、回動取付部２２，２３周りの調節具４０の手動による回転を促進する把持耳部９０を、その外側に有することが分かるであろう。図３は、バー１４が凹部５２内にあり、背もたれが支持枠１０に対して略平行で且つそれに隣接する搬送位置にバウンサーを変形することが望ましいことを示している。そうすることで、ロッキングアーム７０は、付勢スプリング７３の作用に抗して図３に示される矢印の方向に回転させて戻され、調節具４０は、図４に矢印で示されるように、バー１４が凹部５２から外され、開口６０に沿って開口８０に対して内側を移動する。回動取付部２２，２３周りに調節具４０が回転を続けると、調節具４０の回転動作は、図４に従って、調節具４０が、回動取付部２３がバー１４（図示せず）近傍に配置された図５に示す位置となるまで続けられ、バウンサーは搬送位置となる。搬送位置において、Ｕ字型のヨーク部３７は、支持枠１０の平面の下で曲がって延び、そのウェブ２２は、バー１４の高さよりも下に配置される。
【００２３】
図７は、ヨーク８４の端部６６を受容する一対の一体的なスリーブ８５を有する支持板１６を示している。更に、ヨークの端部６６と同様にスリーブ８５は、鉛直方向に整列した貫通孔を有し、ボルト継ぎ手がその中を通って延びていることが分かるであろう。ボルト継ぎ手は、上面にナットを有すると共に底面にねじの頭を有することが示されている。支持板の真っ直ぐな前方の縁１３は、真っ直ぐな枠片２４を受容する溝を有する。Ｕ字型のヨーク部３７、即ち、アーム２２を形成する底部のウェブは、一対のアーム２１を介して枠片２４によって保持される。
【００２４】
ボルト継ぎ手のねじの頭８６は、真っ直ぐな枠片２４を支持板１６の溝内に制限する。一体化したスリーブ８５は、支持板１６への安定した高強度の接続を提供し、且つ、ボルト継ぎ手を用いて、支持板１６へのヨーク８４の簡単な接続を提供する。図７を参照すると、枠片２４を制限することに加え、背もたれ２０を形成する枠部品２５上に糸が通され布袋の下方の境界部分の固定を提供するボタンと、支持板とが一体化していることが更に分かるであろう。これに関し、布袋の前方の部分は、ボタン２８と一直線上にあるボタン穴の開口を有し、それによって、伸張状態の布袋の安定した支柱が達成される。
【００２５】
図７及び８を参照すると、支持板１６は、スリーブ８５間に配置され射出成形された支持板１６と一体化した突出するＵ字型の梁１１０を有することが分かるであろう。梁１１０の底部のウェブ１１１は、支持板の上面に配置され、その枝部１１２がそこから下方に延びている。枝部の外側の間の距離は、Ｕ字型のヨーク３７の枝のアーム２１の間の自由距離よりもいくらか短い。このように、Ｕ字型のヨーク３７は中央にあり、それによって、Ｕ字型のヨーク３７がＵ字型の梁を超えて下方に回転されたとき、背もたれ２０は支持枠に対して中央にある。梁１１０の枝の端部が、少なくとも梁の自由端で楔形の突起１１４を有することによって、突起１１４とアーム２１との干渉が生じ、アーム２１は、突起を通過したとき、突起１１４の下で取り外し可能に係止される。枝部１１２は、弾性的であり、また、楔形１１３のために、アーム２１を通過してＵ字型片３７を回転させて戻すことを可能にし、搬送位置から離れたＵ字型のヨーク３７を回転させて戻すときに、枝部は互いに向かって移動される。即ち、楔形１１３，１１４を有する枝の端部は、背もたれを搬送位置の支持枠に隣接させて保持するように取り外し可能な係合を形成する。
【００２６】
最終的に、図６を参照すると、凹部の上方の壁に凹部の口部６３と底部６２との間の変わり目に配置されている小さい保持部６４を除いて、凹部５１，５２，５３によって、バー１４は底部６２へ及び底部６２から自由に通過することが可能となることが理解されよう。保持部６４は、対向する凹部の壁と共に、バー１４の直径よりもいくらか小さいウエスト部を形成する。保持部６４近傍の凹部の対向する壁が弾性的であるために、バー１４が凹部の底部６２から意図せず外れてしまうことを防止するスナップロック機能が提供される。底部の凹部の上方の側壁の切り取り部は、支持枠の方向に背もたれに負荷をかけたとき、バー１４が凹部から外れないことを保証する役割を果たす。
【００２７】
凹部の上方の側壁は、バー１４の中心とアーム部２２の中心との間の線２９に対して角度β＜９０°で傾いている。凹部の下方の側壁は、図６に示されるように、線２９に対して角度α＞９０°で傾いている。
【００２８】
開口６０に沿ってバー１４の位置から独立して、細長い開口６０の上方の壁が水平に対して実質的に傾きを有することによって、背もたれに負荷が加えられたとき、バー１４は上方の滑らかな開口の壁に沿って滑ることができる。そして、バー１４が凹部５２，５３内に挿入されると、水平に対して実質的に傾きを有し凹部の底部６２内に続く凹部の上方の滑らかな口の壁に沿って、バー１４は簡単に滑る。従って、バー１４は、背もたれの加重時に、凹部５１−５３の１つに向かって自動的に進行する。
【００２９】
図７〜９を参照すると、各スリーブ８５は、貫通ネジを受容するロックナットを回転可能に固定するナットの受け口８７を有し、貫通ネジの頭は、スリーブの直径方向に対向する側面から半径方向に突出し、その中に真っ直ぐな枠片２４を局所的に拘束するために、溝を覆うことが更に分かるであろう。枠片の他端で、枠片が各保持部６４によって溝内に拘束される。ネジはアレン型が適切であり、ナット８７は摩擦の挿入部分を有するロックナットが適切である。
【図１】
2009542315.tif 000003
【図２】
2009542315.tif 000004
【図３】
2009542315.tif 000005
【図４】
2009542315.tif 000006
【図５】
2009542315.tif 000007
【図６】
2009542315.tif 000008
【図７】
2009542315.tif 000009
【図８】
2009542315.tif 000010
【図９】
2009542315.tif 000011
【国際調査報告】
2009542315.tif 000012
2009542315.tif 000013
2009542315.tif 000014